(57)【要約】【課題】  メンテナンス時、電源を落とさないで操作パネルに表示されている指示を見ながら作業をすると稼動部分などにも電源が供給されており、誤動作や感電などしてしまう可能性があり、危険が伴う作業があった。【解決手段】  メンテナンスする部分の通電は、コントローラから各々制御できるような構成にする。操作部を操作し、ある特定のオペレータメンテナンスモードに入ると、コントローラからの制御で、その特定のオペレータメンテナンスモードでメンテナンスの可能性のある部分のみ通電を遮断する。その後、オペレータはコントローラ側に接続されている操作画面で、その特定のオペレータメンテナンスの作業指示手順に従って、部品の交換やメンテナンス作業を行う。【選択図】  図１
2008312118.tif 000002
【特許請求の範囲】
【請求項１】
交換またはメンテナンスする可能性がある部分で構成されるメンテナンス部分と、操作入力部と操作表示部を持ちメンテナンスすることがないコントローラ部分の２つの部分からなり、それぞれのメンテナンス部分の電源はコントローラ部分から各々制御される複合機において、
操作部入力部の指示で特定のメンテナンスモードに入るとコントローラ部分が前記特定のメンテナンスモードでメンテナンスするメンテナンス部分の通電を遮断し、操作表示部に前記特定のメンテナンス手順を表示することを特徴とする複合機。
【発明の詳細な説明】
【技術分野】
【０００１】
本発明は、メンテナンスモードにおいて操作手順の表示を見ながら安全かつ簡単にメンテナンス処理を行うことができる複合機に関するものである。
【背景技術】
【０００２】
従来は、高圧ユニット部へ電源が印加されていることを検知手段が検知している時は、高圧ユニット部の取り出しを禁止するロック機構を設けたことを特徴とする静電複写機のように、メンテナンスを禁止するロック機構を設けることが一般的であった。
（特許文献１参照）
【特許文献１】特開平０６−０８３１３０号公報
【発明の開示】
【発明が解決しようとする課題】
【０００３】
複合機において、サービスマンのように熟練していない担当者が、消耗部品、故障部品などを交換する際に、機械全体の電源を落として作業すると、操作パネルも消えてしまうため操作パネルに表示されている作業指示を見ることが出来ず、どのような作業をすべきか良く分からなかった。一方電源を落とさないで、操作パネルに表示されている指示を見ながら作業をすると稼動部分などにも電源が供給されており、誤動作や感電などしてしまう可能性があり、危険が伴う作業があった。
【課題を解決するための手段】
【０００４】
交換またはメンテナンスする可能性がある部分で構成されるメンテナンス部分と、操作入力部と操作表示部を持ちメンテナンスすることがないコントローラ部分の２つの部分からなり、それぞれのメンテナンス部分の電源はコントローラ部分から各々制御される複合機において、
操作部入力部の指示で特定のメンテナンスモードに入るとコントローラ部分が前記特定のメンテナンスモードでメンテナンスするメンテナンス部分の通電を遮断し、操作表示部に前記特定のメンテナンス手順を表示すること。
【発明の効果】
【０００５】
メンテナンス時に、メンテナンスしたい個所の通電が遮断されるので、操作パネルの指示画面を見ながら、通常は危険な駆動部分や通電部分のメンテナンスが可能となり、安全性の向上、作業性の向上が図れる。
【発明を実施するための最良の形態】
【０００６】
（実施例１）
図１は本実施例の複合機を構成するブロック図である。
【０００７】
コントローラ２０００、スキャナ２０７０、プリンタ２０９５、電源１０、操作部２０１２、スイッチ群２０からなる。
【０００８】
コントローラ２０００は、スキャナ２０７０、プリンタ２０９５、操作部２０１２と接続し、動作を行う。
【０００９】
コントローラ２０００には、スキャナ２０７０のＤＣ電源をＯＮ／ＯＦＦする制御ポートＳ４０、スキャナ２０７０のＡＣ電源をＯＮ／ＯＦＦする制御ポートｓ５０がある。
【００１０】
さらに、コントローラ２０００には、プリンタのＤＣ電源をＯＮ／ＯＦＦする制御ポートＰ３０、プリンタのＡＣ電源をＯＮ／ＯＦＦする制御ポートｐ６０がある。
【００１１】
各ポートはスイッチ群２０により電源をＯＮ／ＯＦＦされる。このようにコントローラ２０００はスキャナ２０７０、プリンタ２０９５の電源のＯＮ／ＯＦＦを独立してコントロールすることができる。
【００１２】
図２は、複合機１００１の主要部の構成を示すブロック図である。
【００１３】
複合機１００１はコントローラユニット２０００を含み、コントローラユニット２０００には、画像入力デバイスであるスキャナ２０７０や画像出力デバイスであるプリンタ２０９５が接続されるとともに、操作部２０１２が接続される。コントローラユニット２０００は、スキャナ２０７０で読み取られた画像データをプリンタ２０９５により印刷出力するコピー機能を実現するための制御を行うとともに、ＬＡＮ１００６や公衆回線１００８（ＷＡＮ）に接続することによって、画像情報やデバイス情報の入出力を行うための制御を行う。
【００１４】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上で、ＨＤＤ（ハードディスクドライブ）２００４に格納されているアプリケーションプログラムを実行し、これによって各種処理を実行する。このＣＰＵ２００１の作業領域としてはＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【００１５】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージバスインタフェース）２００５が接続される。
【００１６】
操作部Ｉ／Ｆ２００６は、タッチパネルを有する操作部２０１２とのインタフェースであり、操作部２０１２に表示すべき画像データを操作部２０１２に対して出力する。また、操作部Ｉ／Ｆ２００６は、操作部２０１２においてユーザにより入力された情報をＣＰＵ２００１に送出する。
【００１７】
次に、ネットワークＩ／Ｆ２０１０は、ＬＡＮ１００６に接続され、ＬＡＮ１００６を介してＬＡＮ１００６上の各装置との間で情報の入出力を行う。モデム２０５０は、公衆回線１００８に接続され、公衆回線１００８を介して情報の入出力を行う。
【００１８】
イメージバスＩ／Ｆ２００５は、システムバス２００７と、画像データを高速で転送する画像バス２００８とを接続し、データ形式を変換するためのバスブリッジである。画像バス２００８は、ＰＣＩバスまたはＩＥＥＥ１３９４から構成される。画像バス２００８上には、ラスタイメージプロセッサ（以下、「ＲＩＰ」という）２０６０、デバイスＩ／Ｆ２０２０、スキャナ画像処理部２０８０、プリンタ画像処理部２０９０、画像回転部２０３０、および画像圧縮部２０４０が設けられる。
【００１９】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。プリンタ画像処理部２０９０は、プリント出力画像データに対してプリンタ２０９５に応じた補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００２０】
次に、スキャナ２０７０およびプリンタ２０９５のハードウェア構成について図３を参照して説明する。
【００２１】
図３は、図２に示すスキャナ２０７０およびプリンタ２０９５のハードウェア構成を示す側断面図である。
【００２２】
スキャナ２０７０（図３においては２００）とプリンタ２０９５（図３においては３００）とは、図３に示すように、一体的に構成されている。スキャナ２０７０は、原稿給紙ユニット２５０を搭載し、原稿給紙ユニット２５０は、原稿を先頭から順に１枚ずつプラテンガラス２１１上へ給送し、各原稿の読取動作が終了する毎に、その原稿をプラテンガラス２１１から排出トレイ（図示せず）に排出する。スキャナ２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、「ＣＣＤ」という）２１８に導かれ、原稿上の画像がＣＣＤ２１８の撮像面上に結像される。ＣＣＤ２１８は、撮像面に結像された画像を電気信号に変換し、この電気信号が所定の処理施された後に制御装置（図示せず）に入力される。
【００２３】
プリンタ２０９５は、レーザドライバ３２１を有し、レーザドライバ３２１は、制御装置から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００２４】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。
【００２５】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００２６】
図４は、図２に示す操作部２０１２の構成を示す平面図である。
【００２７】
ＬＣＤ表示部２０１３は、ＬＣＤ上にタッチパネルシートが貼られた構造となっており、複合機１００１の操作画面を表示するとともに、該画面に表示されたキーが押されるとその位置情報をコントローラユニット２０００のＣＰＵ２００１に伝える。スタートキー２０１４は、原稿画像の読み取り動作を開始する時などに用いられる。スタートキー２０１４の中央部には、緑と赤の２色ＬＥＤ２０１８が設けられ、その色によってスタートキー２０１４が使える状態にあるか否かを示す。ストップキー２０１５は、稼働中の動作を止めるときに操作される。ＩＤキー２０１６は、使用者のユーザＩＤを入力する時に用いられる。リセットキー２０１７は、操作部２０１２からの設定を初期化する時に用いられる。
【００２８】
図５は、操作部２０１２上に表示される操作画面の一例を示す図である。
【００２９】
操作部２０１２の操作画面の上部には、タッチキーからなり、各種の機能を選択するためのコピータブ９０１、送信／ＦＡＸタブ９０２、ボックスタブ９０３、ブラウザタブ９０４、右矢印タブ９０５が表示される。
【００３０】
図５は、コピータブ９０１のタッチキーが押下されたときのコピー機能の初期画面を表している。コピー機能に関する表示は領域９０６で行なわれ、領域９０６の上から、「コピーできます」が表示されている領域には、コピー機能で表示すべきステータスを表示し、その下の領域には、倍率、選択給紙段、置数を表示する。また、コピー機能の動作モードを設定するためのタッチキーとして、等倍、倍率、用紙選択、ソータ、両面、割込み、文字、濃度調整用としての薄くするに対応する左矢印キー、濃くするに対応する右矢印キー、濃度を自動調整する自動キーが表示され、また、初期画面に表示しきれない動作モードの指定画面は、応用モードキーを押下することで、階層的に領域９０６内に表示されるようになっている。
【００３１】
また、表示領域９０７は、複合機１００１のステータスを表示する領域であり、例えば、ジャムなどのアラームメッセージや、ＰＤＬプリントが行われているときにＰＤＬプリント中であることを示すステータスメッセージを表示する領域である。表示領域９０７にはシステム状況／中止タッチキー９０８が表示され、該システム状況／中止タッチキー９０８を押下すると、複合機１００１のデバイス情報を表示する画面や、プリントジョブ状況を表示する画面（図示せず）を表示し、この画面ではジョブの中止を行うことが可能になる。
【００３２】
送信／ＦＡＸタブ９０２を押下すると、複合機１００１で読み取った画像をＬＡＮ１００６上の機器にＥ−メール送信またはＦＴＰ送信したり、また公衆回線１００８を使ってファクシミリ送信したりするための設定画面（図示せず）を表示する。
【００３３】
ボックスタブ９０３を押下すると、複合機１００１上で読み取った画像をＨＤＤ２００４内のボックス領域に保存したり、ボックス領域に保存されている画像データを指定して印刷したり、ＬＡＮ１００６上の機器に送信したりするための設定画面（図示せず）を表示する。
【００３４】
また、５つ以上の機能がコントローラユニット２０００に装備されている場合は、コピー、送信／ＦＡＸ、ボックス、ブラウザの４つ機能タブ９０１〜９０４の右横に右矢印キー９０５が表示され、右矢印キー９０５が押下されると、別の機能のための画面が表示されるようになっている。
【００３５】
図６はオペレータメンテナンスモードに入るための操作部上の画面である。
【００３６】
この画面で「オペレータメンテナンスモード」のボタンを押すと、図７に示す操作部上の画面に遷移する。
【００３７】
図７の操作部上の画面はパスワードの入力画面である。
【００３８】
オペレータメンテナンスモードは通常と異なるユーザが使用するモードなので、予め登録されたパスワードを入力しないとオペレータメンテナンスモードに移行できなくなっている。オペレータメンテナンスモードを使用できるユーザは、正規のパスワードを入力し、オペレータメンテナンスモードに移行する。
【００３９】
図８は操作部上のオペレータメンテナンスモードの基本画面である。
【００４０】
図８の左下にある「交換／清掃モードへ」ボタンを押すことで、部品交換モードに移行できる。
【００４１】
さらに「交換／清掃モードへ」ボタンを押すと、操作部上の画面（図９）に推移する。
【００４２】
図９では「交換／清掃モード」になるとＤコンの電源が遮断されるので、全てのジョブが出来なくなってしまうが、それで良いかと確認する画面が出る。
【００４３】
図９で「はい」を押すと「交換／清掃モード」に入るが、「いいえ」を押すとキャンセルされる。
【００４４】
「交換／清掃モード」に入ると図１０の表示のように機械本体の絵が表示され、どのように作業すればよいか表示される。
【００４５】
図１０は１画面で終わる時もあれば、表示内容が変化し連続してアニメーション表示される時もある。
【００４６】
図１０を見ながらメンテナンスの処理を行う。
【００４７】
メンテナンスの処理が終了すれば、図１０の「キャンセル」ボタンを押して終了の手続きをする。
【００４８】
図１０で「キャンセル」ボタンを押すと、図１１に移行する。
【００４９】
図１１では、メンテナンスした部品のカウンタをクリアする。
【００５０】
「交換／清掃モード」が終了した場合、図１１の左下にある「交換／清掃モード終了」ボタンを押す。このボタンを押すと図１２に移行する。
【００５１】
図１２では「交換／清掃モード」を抜けてよいか確認画面がでる。
【００５２】
良い場合は「はい」、「交換／清掃モード」に戻る場合は「いいえ」を押す。
【００５３】
「はい」を押した場合、図１３のオペレータメンテナンスモード画面に戻る。
【００５４】
図１３で右下の「ログオフ」キーを押せば、図１４の「初期設定／登録」画面にもどる。
【図面の簡単な説明】
【００５５】
【図１】複合機のブロック図。
【図２】複合機の構成を示すブロック図。
【図３】スキャナ、プリンタのハードウェア構成を示す断面図。
【図４】操作部の構成を示す平面図。
【図５】操作画面の一例。
【図６】オペレータメンテナンスモードに入るための画面。
【図７】パスワードの入力画面。
【図８】オペレータメンテナンスモードの基本画面。
【図９】電源遮断の確認画面。
【図１０】作業手順画面。
【図１１】カウンタクリア画面。
【図１２】終了確認画面。
【図１３】オペレータメンテナンスモードの基本画面。
【図１４】初期設定／登録画面。
【符号の説明】
【００５６】
２０００  コントローラユニット
２０１２  操作部
２０７０  スキャナ
２０９５  プリンタ
【図１】
2008312118.tif 000003
【図２】
2008312118.tif 000004
【図３】
2008312118.tif 000005
【図４】
2008312118.tif 000006
【図５】
2008312118.tif 000007
【図６】
2008312118.tif 000008
【図７】
2008312118.tif 000009
【図８】
2008312118.tif 000010
【図９】
2008312118.tif 000011
【図１０】
2008312118.tif 000012
【図１１】
2008312118.tif 000013
【図１２】
2008312118.tif 000014
【図１３】
2008312118.tif 000015
【図１４】
2008312118.tif 000016